(57)【要約】  【課題】ユーザに不快感なくユーザが報知を希望する指定時間の到来を報知すること等を目的とする。  【解決手段】ヘッドフォン１１が接続される接続端子１３と、当該接続端子１３への前記ヘッドフォン１１の接続状態を検知する接続検知手段１１cと、スピーカ１０と、前記接続端子１３に接続されている前記ヘッドフォン１１のコード１１cをアンテナとして用いるチューナ１２と、前記スピーカ１０あるいは前記接続端子１３に音声信号を出力する音声出力制御手段１１aと、指定時間に前記音声出力制御手段１aから音声信号を出力するアラーム制御手段１bとを備えたオーディオ機器において、指定時間到来時に、前記接続検知手段１cが前記接続端子１３に前記ヘッドフォン１１が非接続状態であることを検知した場合には、前記音声出力制御手段１１aは前記チューナ１２からの音声信号以外の音声信号を前記スピーカ１０に出力する。  【選択図】図１ 
2005269278.tif 000002
【特許請求の範囲】
【請求項１】
ヘッドフォンが接続される接続端子と、当該接続端子への前記ヘッドフォンの接続状態を検知する接続検知手段と、スピーカと、前記接続端子に接続されている前記ヘッドフォンのコードをアンテナとして用いるチューナと、前記スピーカあるいは前記接続端子に音声信号を出力する音声出力制御手段と、指定時間に前記音声出力制御手段から音声信号を出力するアラーム制御手段とを備え、
指定時間到来時に、前記接続検知手段が前記接続端子に前記ヘッドフォンが非接続状態であることを検知した場合には、前記音声出力制御手段は前記チューナからの音声信号以外の音声信号を前記スピーカに出力することを特徴とするオーディオ機器。
【請求項２】
ヘッドフォンが接続される接続端子と、前記接続端子への前記ヘッドフォンの接続状態を検知する接続検知手段と、前記接続端子に接続されている前記ヘッドフォンのコードをアンテナとして用いるチューナと、音声信号を記録する記録手段と、少なくとも前記チューナが受信した音声信号の前記記録手段への記録を制御する録音制御手段とを備え、
前記接続検知手段が前記接続端子に前記ヘッドフォンが非接続状態であることを検知した場合には、前記録音制御手段は前記記録を禁止又は中断することを特徴とするオーディオ機器。
【請求項３】
少なくとも録音の開始時間を指定するための入力手段を備え、当該入力手段により指定された開始時間に前記記録の禁止又は中断の制御を行うことを特徴とする請求項２に記載のオーディオ機器。
【発明の詳細な説明】
【技術分野】
【０００１】
本発明は、オーディオ機器に関し、特にヘッドフォン（イヤホンを含む。）のコードをアンテナとしも使用するチューナ機能を搭載するオーディオ機器に関する。
【背景技術】
【０００２】
従来、ヘッドフォン又はスピーカから音声を出力するオーディオ機器において、ヘッドフォンのコードをアンテナとしても使用するチューナ機能を搭載するものがある。例えば、特開平９−３３１２０９号公報に係る「ＦＭ受信回路を有するオーディオ機器およびヘッドフォン」の場合、図５に示すように、ヘッドフォン(１)のコード(２)をＦＭ放送の受信アンテナとしても使用している。
【０００３】
このようなチューナ機能を搭載するオーディオ機器であって、アラーム機能（ユーザが報知を希望する指定時間（指定の時間間隔あるいは指定時刻を意味する）が到来した時にヘッドフォン又はスピーカから音声を出力する）を有するオーディオ機器において、このアラーム機能によってチューナが受信したＦＭ放送などの音声をヘッドフォンに出力するように設定する場合がある。この場合、ヘッドフォンのコードをオーディオ機器に接続しているときにはヘッドフォンのコードをアンテナとしても利用できるため、アラーム機能によって設定した指定時間が到来した時に、ユーザはチューナが正常に受信したＦＭ放送などの音声を、ノイズによる不快感を感じることなく聞くことができていた。
【０００４】
また、このようなチューナ機能を搭載するオーディオ機器であって、録音機能を有するオーディオ機器において、アラーム機能を用いてチューナが受信したＦＭ放送などの音声を録音するように設定する場合、ヘッドフォンのコードをオーディオ機器に接続しているときにはヘッドフォンのコードをアンテナとしても利用できるため、アラーム機能によって設定した指定時間が到来した時に、ユーザはチューナが正常に受信したＦＭ放送などの音声を、不快感を与えるノイズを含むことなく録音することができていた。
【特許文献１】特開平９−３３１２０９号公報
【発明の開示】
【発明が解決しようとする課題】
【０００５】
しかし、アラーム機能によって設定した指定時間が到来した時において、アンテナとしても利用するヘッドフォンのコードをオーディオ機器に接続していない場合には、チューナはＦＭ放送などを正常に受信することができない。正常に受信されなかったＦＭ放送などの音声をスピーカから出力すると、ノイズが多い音声やノイズのみの音声がスピーカから出力され、ユーザに不快感を与えてしまうといった問題があった。
【０００６】
また、オーディオ機器が録音機能を備え、アンテナとしても利用するヘッドフォンのコードをオーディオ機器に接続していない場合には、アラーム機能を用いてチューナから受信したＦＭ放送などの音声を録音する時に、アラーム機能によって設定した指定時間が到来した時に、ユーザに不快感を与えるノイズを含む音声を録音してしまうといった問題があった。
【０００７】
本発明は、このような問題に鑑みてなされたもので、アンテナとしても利用するヘッドフォンのコードをオーディオ機器に接続していない場合において、ユーザに不快感なく報知を希望する指定時間の到来を知らせると共に、録音時には、ユーザに不快感を与えるノイズを含む音声を録音しないようにすることを目的とする。
【課題を解決するための手段】
【０００８】
請求項１に記載のオーディオ機器は、ヘッドフォンが接続される接続端子と、当該接続端子への前記ヘッドフォンの接続状態を検知する接続検知手段と、スピーカと、前記接続端子に接続されている前記ヘッドフォンのコードをアンテナとして用いるチューナと、前記スピーカあるいは前記接続端子に音声信号を出力する音声出力制御手段と、指定時間に前記音声出力制御手段から音声信号を出力するアラーム制御手段とを備え、
指定時間到来時に、前記接続検知手段が前記接続端子に前記ヘッドフォンが非接続状態であることを検知した場合には、前記音声出力制御手段は前記チューナからの音声信号以外の音声信号を前記スピーカに出力することを特徴とする。
【０００９】
請求項２に記載のオーディオ機器は、ヘッドフォンが接続される接続端子と、前記接続端子への前記ヘッドフォンの接続状態を検知する接続検知手段と、前記接続端子に接続されている前記ヘッドフォンのコードをアンテナとして用いるチューナと、音声信号を記録する記録手段と、少なくとも前記チューナが受信した音声信号の前記記録手段への記録を制御する録音制御手段を備え、
前記接続検知手段が前記接続端子に前記ヘッドフォンが非接続状態であることを検知した場合には、前記録音制御手段は前記記録を禁止又は中断することを特徴とする。
【００１０】
請求項３に記載の発明は、請求項２に記載のオーディオ機器において、少なくとも録音の開始時間を指定するための入力手段を備え、当該入力手段により指定された開始時間に前記記録の禁止又は中断の制御を行うことを特徴とする。
【発明の効果】
【００１１】
本発明によれば、ユーザが報知を希望する指定時間が到来した時にアンテナとしても利用するヘッドフォンのコードをオーディオ機器に接続していない場合、正常に受信できなかったチューナからの音声信号以外の音声信号をスピーカに出力する。これにより、チューナからのノイズの多い音声やノイズのみの音声がスピーカに出力されることがないので、ユーザに不快感を与えることなく、ユーザに報知を希望する指定時間の到来を知らせることができる。また、アラーム機能を用いて、又はアラーム機能を用いないでチューナから受信したＦＭ放送などの音声を録音する場合、アラーム機能を用いた場合にはユーザが録音を希望する指定時間に、アラーム機能を用いない場合には録音ボタン等を押下した時に、アンテナとしても利用するヘッドフォンのコードをオーディオ機器に接続していないときは録音を禁止又は中断するので、ユーザに不快感を与えるノイズを含むチューナからの音声を録音しないようにすることができる。
【発明を実施するための最良の形態】
【００１２】
図１は、本発明の一実施例であるＩＣレコーダとこのＩＣレコーダに接続するヘッドフォン１１の概略構成を示すブロック図である。
【００１３】
制御部１は、ユーザによる操作部２の操作に応じて、エンコード／デコードＩＣ３とメモリ４間のデジタル音声信号の入出力の制御、エンコード／デコードＩＣ３におけるエンコード処理又はデコード処理の制御、表示部５への音声信号に関する情報の出力、操作部２からの制御信号の入力を行う。また、この制御部１は、スピーカ１０へ、又はヘッドフォン１１のプラグ１１cが接続されるジャック１３への音声信号の出力を制御する音声出力制御手段として機能する音声出力制御回路１a、ユーザが報知を希望する指定時間が到来した時にヘッドフォン１１又はスピーカ１０から音声を出力するように制御するアラーム制御手段として機能するアラーム制御回路１b、ヘッドフォン１１のプラグ１１cのジャック１３への接続状態（以下、ＩＣレコーダへのヘッドフォン１１の接続状態という。）を検知する接続検知手段として機能する接続検知回路１c、ユーザが選択した録音ソース（チューナ１２が受信するＦＭ放送などの音声、マイク部８から入力される音声、外部入力端子１４から入力される音声）に関する音声データのメモリ４への記録を制御する録音制御手段として機能する録音制御回路１dを備える。
【００１４】
メモリ４は、デジタル音声信号を記録する記録手段として機能し、制御部１の制御によって、エンコード／デコードＩＣ３から圧縮して出力されたデジタル音声信号の入力、記録した圧縮されたデジタル音声信号のエンコード／デコードＩＣ３への出力を行う。尚、後述するアラーム音源としてのファイル再生用のデジタル音声信号もメモリ４に記録される。
【００１５】
エンコード／デコードＩＣ３は、デジタル音声信号の圧縮及び伸張を行うものであり、制御部１の制御によって、Ａ／Ｄコンバータ６から入力したデジタル音声信号を圧縮後、メモリ４又はＤ／Ａコンバータ７に出力する。また、制御部１の制御によって、メモリ４から出力されたデジタル音声信号を入力し、圧縮されたデジタル音声信号を伸張後、Ｄ／Ａコンバータ７に出力する。
【００１６】
Ａ／Ｄコンバータ６は、アナログ音声信号をデジタル音声信号に変換するものであり、マイク部８、外部接続端子１４、チューナ１２のいずれかから入力したアナログ音声信号をデジタル音声信号に変換後、エンコード／デコードＩＣ３に出力する。
【００１７】
Ｄ／Ａコンバータ７は、デジタル音声信号をアナログ音声信号に変換するものであり、エンコード／デコードＩＣ３から入力したデジタル音声信号をアナログ音声信号に変換し後、オーディオアンプ９に出力する。
【００１８】
オーディオアンプ９は、アナログ音声信号を増幅するものであり、Ｄ／Ａコンバータ７で変換されたアナログ音声信号を増幅後、当該増幅したアナログ音声信号をスピーカ１０又はジャック１３に出力する。
【００１９】
スピーカ１０は、オーディオアンプ９において増幅されたアナログ音声信号を音声として出力するものである。
【００２０】
ヘッドフォン１１は、スピーカ１０と同様に、オーディオアンプ９において増幅されたアナログ音声信号を音声として出力するものであり、音響ユニット１１aとコード１１bとジャック１３に挿入するためのプラグ１１ｃから構成される。尚、ヘッドフォン１１はイヤホンであっても良い。
【００２１】
ジャック１３は、ヘッドフォン１１のプラグ１１cを挿入する接続端子である。また、このジャック１３は、ヘッドフォン１１のプラグ１１cのジャック１３への接続の有無に関する信号を制御部１の接続検知回路へ出力する。
【００２２】
操作部２は、入力手段として機能し、ユーザによる図示しないキーやボタンの押下によって制御部１へ制御信号を出力することにより、ユーザが所望するＩＣレコーダの動作制御を可能にするものである。
【００２３】
表示部４は、音声データに関する情報を表示するものである。
【００２４】
マイク部８は、外部の音声を入力し、Ａ／Ｄコンバータ６にアナログ音声信号として出力するものである。
【００２５】
外部入力端子１４は、外部マイク等との接続により、外部の音声を入力し、Ａ／Ｄコンバータ６にアナログ音声信号として出力するものである。
【００２６】
チューナ１２は、ＦＭ放送などの音声信号を受信するものであり、ヘッドフォン１１のコード１１bをアンテナとして使用して受信したＦＭ放送などの音声信号をＡ／Ｄコンバータ６に出力する。
【実施例１】
【００２７】
図２は、図１に示すＩＣレコーダにおける制御部１のアラーム機能に関する動作を示すフローチャートである。
【００２８】
アラームの設定は、ユーザによる操作部２に設けられたアラーム設定モードキーの押下によってアラーム設定モードにし、このアラーム設定モードにおいて操作部２に設けられた時刻設定キー又はタイマー設定キーを押下することにより、ユーザが報知を希望する時間を指定してなされる。
【００２９】
初めに、ユーザによりアラームが設定された場合（Ｓ１でＹ）、図示しないカレンダー機能及び時計機能を有するＩＣであるＲＴＣ（Real Time Clock）から制御部１への割り込み処理が開始される（Ｓ２）。ユーザが報知を希望する指定時間が到来すると、アラーム機能の実行を妨げる状態である、録音若しくは再生が停止中又は一時停止中であるか否かを確認する（Ｓ３）。
【００３０】
録音若しくは再生が停止中又は一時停止中の場合にはアラームの音源設定の実行に移行する（Ｓ４、Ｓ５、Ｓ１５）。
【００３１】
一方、録音若しくは再生が停止中又は一時停止中でなければ、録音中であるか否かを確認し（Ｓ６）、録音中であれば、ユーザが報知を希望する指定時間の到来をユーザに知らせるため、図示しないＬＥＤを点灯させて、録音を継続する（Ｓ７）。録音中ではなく、再生中又は一時停止中であればその状態を保存して停止し（Ｓ８、Ｓ９）、アラームの音源設定の実行に移行する（Ｓ４、Ｓ５、Ｓ１５）。
【００３２】
ユーザがアラーム機能をチューナ１２が受信するＦＭ放送などの音声に設定していた場合（Ｓ５でＹ）、ＩＣレコーダへのヘッドフォン１１の接続状態を検知して（Ｓ１０）、接続状態であれば、チューナ１２がヘッドフォン１１のコード１１bを使用してＦＭ放送などを正常に受信することができる状態であるので、チューナ１２が受信したＦＭ放送などの音声をヘッドフォン１１に出力する（Ｓ１１）。一方、非接続状態であれば、チューナ１２がヘッドフォン１１のコード１１bを使用してＦＭ放送などを正常に受信することができる状態ではないので、スピーカ１０からビープ音を出力する（Ｓ１２）。
【００３３】
ユーザがアラーム機能をビープ音に設定していた場合（Ｓ４でＹ）、ＩＣレコーダへのヘッドフォン１３の接続状態を検知して（Ｓ１３）、接続状態であればビープ音をヘッドフォン１１に出力し（Ｓ１４）、ヘッドフォン１１が非接続状態であればスピーカ１０からビープ音を出力する（Ｓ１２）。
【００３４】
ユーザがアラーム機能をファイル再生に設定していた場合（Ｓ１５）、ＩＣレコーダへのヘッドフォン１１の接続状態を検知して（Ｓ１６）、接続状態であればファイルに記録された音声信号をヘッドフォン１１に出力し（Ｓ１７）、ヘッドフォン１１が非接続状態であればスピーカ１０からファイルに記録された音声信号を出力する（Ｓ１８）。
【００３５】
尚、再生中又は一時停止中の状態を保存して停止していた場合には（Ｓ８、Ｓ９）、アラーム機能による音声出力が終了した時、再生を再開する（Ｓ１９）。
【００３６】
これにより、ＩＣレコーダにアンテナとしても利用するヘッドフォン１１のコード１１bが接続状態にない場合においては、スピーカ１０にチューナ１２が正常に受信できなかったＦＭ放送などの音声を出力するのではなく、ビープ音を出力するので、ユーザに不快感なくユーザが報知を希望する指定時間の到来を知らせることができる。
【実施例２】
【００３７】
図３は、図１に示すＩＣレコーダにおける制御部１のアラーム機能を用いた録音機能に関する動作を示すフローチャートである。
【００３８】
録音ソースの選択は、ユーザによる操作部２に図示しない録音ソース選択キーの押下によって録音ソース選択モードにし、この録音ソース選択モード中において、チューナ１２が受信するＦＭ放送などの音声、マイク部８から入力される音声、外部入力端子１４から入力される音声の中から１つのソースを選択することにより行う。また、アラーム設定の方法は上述と同様に行われる。
【００３９】
初めに、録音モードであるか否かを確認し（Ｓ１）、録音モードであれば、録音ソースの選択が行われる（Ｓ２）。次に、ユーザによりアラームが設定された場合（Ｓ３でＹ）、図示しないカレンダー機能及び時計機能を有するＩＣであるＲＴＣ（Real Time Clock）から制御部１への割り込み処理が開始される（Ｓ４）。ユーザが録音を希望する指定時間が到来すると、アラーム機能の実行を妨げる状態である、録音若しくは再生が停止中又は一時停止中であるか否かを確認する（Ｓ５）。
【００４０】
録音若しくは再生が停止中又は一時停止中の場合には、ユーザが選択していた録音ソースが、チューナ１２が受信するＦＭ放送などの音声であるか否かを確認する（Ｓ６）。
【００４１】
一方、録音若しくは再生が停止中又は一時停止中でなければ、録音中であるか否かを確認し（Ｓ７）、録音中であれば、ユーザが録音を希望する指定時間の到来をユーザに知らせるため、図示しないＬＥＤを点灯させて、現在の録音ソースを用いた録音を継続する（Ｓ８）。録音中ではなく、再生中又は一時停止中であればその状態を保存して停止し（Ｓ９、Ｓ１０）、ユーザが選択していた録音ソースが、チューナ１２が受信するＦＭ放送などの音声であるか否かを確認する（Ｓ６）。
【００４２】
ここで、ユーザが、チューナ１２が受信するＦＭ放送などの音声を録音ソースとして選択していた場合（Ｓ６でＹ）、ＩＣレコーダへのヘッドフォン１１の接続状態の検知が行われる（Ｓ１１）。そして、接続状態であれば、チューナ１２がヘッドフォン１１のコード１１bを使用してＦＭ放送などを正常に受信することができる状態であるので、チューナ１２が受信するＦＭ放送などの音声の録音を開始し（Ｓ１２）、非接続状態であれば、チューナ１２がヘッドフォン１１のコード１１bを使用してＦＭ放送などを正常に受信することができる状態ではないので、録音の停止状態を継続する。
【００４３】
また、チューナ１２が受信するＦＭ放送などの音声の録音中においては（Ｓ１３でＹ）、ＩＣレコーダへのヘッドフォン１１の接続状態を継続して検知している（Ｓ１４）。そして、非接続状態であれば、チューナ１２がヘッドフォン１１のコード１１bを使用してＦＭ放送などを正常に受信することができない状態であるので、録音を一時停止状態にする（Ｓ１５）。この一時停止状態において、ヘッドフォン１１が再び接続端子へ接続されると（Ｓ１７でＹ）、チューナ１２がヘッドフォン１１のコード１１bを使用してＦＭ放送などを正常に受信することができる状態になるので、ユーザにより操作部２に図示しない録音ボタンが押下されたことによって（Ｓ１６）、又は自動的にチューナ１２が受信するＦＭ放送などの音声の録音を再開する（Ｓ１８）。
【００４４】
一方、ユーザが、マイク部８から入力される音声、又は外部入力端子１４から入力される音声を録音ソースとして選択していた場合（Ｓ６でＮ）、図示しない外部マイクの外部接続端子１４への接続状態を確認し（Ｓ１９）、接続状態であれば、外部入力端子１４から入力される音声の録音を開始し（Ｓ２０）、非接続状態であれば、マイク部８から入力される音声の録音を開始する（Ｓ２１）。
【００４５】
これにより、ユーザが録音を希望する指定時間到来時に、ＩＣレコーダにアンテナとしても利用するヘッドフォン１１のコード１１bが接続状態にない場合には、録音の停止状態を継続又は一時停止状態にするため、ユーザに不快感を与えるノイズを含む音声を録音しないようにすることができる。
【実施例３】
【００４６】
図４は、図１に示すＩＣレコーダにおける制御部１の録音機能に関する他の動作を示すフローチャートである。
【００４７】
録音ソースの選択方法は、上述と同様になされる。初めに、録音モードであるか否かを確認し（Ｓ１）、録音モードであれば、録音ソースの選択が行われる（Ｓ２）。その後ユーザによって操作部２に図示しない録音ボタンを押下されると（Ｓ３）、ユーザが選択した録音ソースによって録音が開始される（Ｓ６）。
【００４８】
ここで、ユーザが、チューナ１２が受信するＦＭ放送などの音声を録音ソースとして選択していた場合（Ｓ４）、ＩＣレコーダへのヘッドフォン１１の接続状態の検知が行われる（Ｓ５）。そして、接続状態であれば、チューナ１２がヘッドフォン１１のコード１１bを使用してＦＭ放送などを正常に受信することができる状態であるので、チューナ１２が受信するＦＭ放送などの音声の録音を開始し（Ｓ６）、非接続状態であれば、チューナ１２がヘッドフォン１１のコード１１bを使用してＦＭ放送などを正常に受信することができる状態ではないので、録音の停止状態を継続する。
【００４９】
また、チューナ１２が受信するＦＭ放送などの音声の録音中においては（Ｓ７でＹ）、ＩＣレコーダへのヘッドフォン１１の接続状態を継続して検知している（Ｓ８）。そして、非接続状態であれば、チューナ１２がヘッドフォン１１のコード１１bを使用してＦＭ放送などを正常に受信することができない状態であるので、録音を一時停止状態にする（Ｓ９）。この一時停止状態において、ヘッドフォン１１が再び接続端子へ接続されると（Ｓ１１でＹ）、チューナ１２がヘッドフォン１１のコード１１bを使用してＦＭ放送などを正常に受信することができる状態になるので、ユーザにより操作部２に図示しない録音ボタンが押下されたことによって（Ｓ１０）、又は自動的にチューナ１２が受信するＦＭ放送などの音声の録音を再開する（Ｓ１２）。
【００５０】
これにより、ＩＣレコーダにアンテナとしても利用するヘッドフォン１１のコード１１bが接続状態にない場合には、録音の停止状態を継続又は一時停止状態にするため、ユーザに不快感を与えるノイズを含む音声を録音しないようにすることができる。
【図面の簡単な説明】
【００５１】
【図１】本発明の一実施例であるＩＣレコーダとこのＩＣレコーダに接続するヘッドフォン１１の概略構成を示すブロック図である。
【図２】図１に示すＩＣレコーダにおける制御部１のアラーム機能に関する動作を示すフローチャートである。
【図３】図１に示すＩＣレコーダにおける制御部１のアラーム機能を用いた録音機能に関する動作を示すフローチャートである。
【図４】図１に示すＩＣレコーダにおける制御部１の録音機能に関する他の動作を示すフローチャート図である。
【図５】従来のチューナ機能を搭載するオーディオ機器に接続されるヘッドフォンの概略構成を示す図である。
【符号の説明】
【００５２】
１a  音声出力制御回路
１b  アラーム制御回路
１c  接続検知回路
１d  録音制御回路
２  操作部
１１  ヘッドフォン
１２  チューナ
１３  ジャック
【図１】
2005269278.tif 000003
【図２】
2005269278.tif 000004
【図３】
2005269278.tif 000005
【図４】
2005269278.tif 000006
【図５】
2005269278.tif 000007